(57)【要約】【課題】  停止し通常の階段として使用するときに、主枠両端の水平部の相互間における搬送帯に踏段をそれぞれ一定段差に配置するエスカレーター装置を得る。【解決手段】  エスカレーターを停止し階段としての使用時に、主枠上部の水平部と傾斜部の接続部の上部可動案内レール１３、１４を上昇し、この案内レール上の踏段３を上昇して水平部踏段位置に配置する。また、主枠下部の水平部と傾斜部の接続部の下部可動案内レールを下降し、この案内レール上の踏段３を下降して水平部踏段位置に配置する。  これによって、主枠両端の水平部の間における搬送帯４の踏段３の相互間に一定段差を形成し、停止したエスカレーターを通常の階段と同様に使用できて段差の不揃いによる使用者の違和感を解消する。【選択図】        図２
2005194058.tif 000002
【特許請求の範囲】
【請求項１】
長手両端部にそれぞれ水平部が形成され上記水平部の間の中間部に傾斜部が形成された主枠と、多数の踏段が連結されて無端状をなし上記主枠に配置されて循環移動する搬送帯と、上記主枠の水平部に設けられて上記踏段の水平姿勢による水平移動を案内する水平案内レールと、上記主枠の傾斜部に設けられて上記踏段の水平姿勢による傾斜移動を案内する傾斜案内レールと、上記水平案内レール及び傾斜案内レールを接続して設けられて上記踏段の移動方向を次第に変換する曲線案内レールと、上記主枠の上端寄りに設けられて上記曲線案内レールの一部を構成した上部可動案内レールと、上記主枠に設けられて要時に動作して上記上部可動案内レールを上昇させる上昇機構と、上記主枠の下端寄りに設けられて上記曲線案内レールの一部を構成した下部可動案内レールと、上記主枠に設けられて要時に動作して上記下部可動案内レールを下降させる下降機構とを備えたエスカレーター装置。
【発明の詳細な説明】
【技術分野】
【０００１】
この発明は、多数の踏段が連結されて無端状をなす搬送帯が傾斜して設置された主枠に配置されて循環移動するエスカレーター装置に関する。
【背景技術】
【０００２】
従来のエスカレーター装置は、長手両端部にそれぞれ水平部が形成されて、これらの水平部の間の傾斜部が形成された主枠が設置され、多数の踏段が連結されて無端状をなす搬送帯が主枠に配置されて循環移動する。そして、それぞれの踏段は主枠の水平部において水平姿勢によって水平移動し、主枠の傾斜部において水平姿勢によって傾斜移動する。また、踏段は主枠の水平部の水平移動から傾斜部の傾斜移動へ水平姿勢を保って次第に上昇又は下降して移動方向を次第に変換するように構成されている。（例えば、特許文献１参照）。
【０００３】
【特許文献１】特開２００３−２９２２７９号公報（要約、図１）
【発明の開示】
【発明が解決しようとする課題】
【０００４】
従来のエスカレーター装置では、主枠の傾斜部において隣接した踏段の相互間に一定の段差が構成される。また、主枠の水平部と傾斜部の接続部では踏段が水平移動から傾斜移動へ、水平姿勢を保って次第に上昇又は下降して移行する。このため、主枠の水平部と傾斜部の接続部において、隣接した踏段の相互間の段差が段差無しと一定段差の間を変動する。
【０００５】
そして、このようなエスカレーター装置を省エネルギー対策等で休止して、エスカレーター装置を歩行者が通常の階段として使用できるようにすることがある。このときに、主枠の水平部と傾斜部の接続部では踏段の相互間に、主枠の傾斜部における踏段相互間の一定段差とは異なる段差が生じる。このため、歩行者が使用する場合に違和感が生じ歩きにくい階段となるという問題点があった。
【０００６】
この発明は、かかる問題点を解消するためになされたものであり、停止し通常の階段として使用するときに主枠両端の水平部の相互間における搬送帯に、一定段差によってそれぞれの踏段が配置されるエスカレーター装置を得ることを目的とする。
【課題を解決するための手段】
【０００７】
この発明に係るエスカレーター装置においては、長手両端部にそれぞれ水平部が形成され水平部の間の中間部に傾斜部が形成された主枠と、多数の踏段が連結されて無端状をなし主枠に配置されて循環移動する搬送帯と、主枠の水平部に設けられて踏段の水平姿勢による水平移動を案内する水平案内レールと、主枠の傾斜部に設けられて踏段の水平姿勢による傾斜移動を案内する傾斜案内レールと、水平案内レール及び傾斜案内レールを接続して設けられて踏段の移動方向を次第に変換する曲線案内レールと、主枠の上端寄りに設けられて曲線案内レールの一部を構成した上部可動案内レールと、主枠に設けられて要時に動作して上部可動案内レールを上昇させる上昇機構と、主枠の下端寄りに設けられて曲線案内レールの一部を構成した下部可動案内レールと、主枠に設けられて要時に動作して下部可動案内レールを下降させる下降機構とが設けられる。
【発明の効果】
【０００８】
この発明によるエスカレーター装置は、エスカレーター装置を停止して通常の階段として使用するときにエスカレーターを通常の階段化する運転が行われて、主枠上部の水平部と傾斜部との接続部において上部可動案内レールが上昇し、上部可動案内レールに支持された踏段が上昇して主枠水平部に配置された踏段と一致した位置に配置される。また、主枠下部の水平部と傾斜部との接続部において下部可動案内レールが下降し、下部可動案内レールに支持された踏段が下降して主枠水平部に配置された踏段と一致した位置に配置される。
【０００９】
これによって、主枠上側端部の上乗降口に対応した踏段と、主枠下側端部の下乗降口に対応した踏段との間に配置されて隣接した多数の踏段の相互間にそれぞれ一定段差が形成される。このため、停止したエスカレーターを通常の階段として歩行者が使用するときに、主枠傾斜部の上下端部近くにおいて踏段の相互間に一定段差とは異なる段差が形成されることがない。したがって、停止したエスカレーターを歩行者が昇降する場合に通常の階段と同様に使用することができ、段差の不揃いによる違和感を解消する効果がある。
【発明を実施するための最良の形態】
【００１０】
実施の形態１．
図１〜図６は、この発明の実施の形態を示す図で、図１はエスカレーターの上部機構を概念的に示す側面図、図２は図１における上部可動案内レールの動作状況を説明する図、図３は図１のエスカレーターにおける下部機構を概念的に示す側面図、図４は図３における下部可動案内レールの動作状況を説明する図、図５は図１に対応した上昇機構を拡大して示す図、図６は図５の上昇機構の動作状況を説明する図である。
【００１１】
図において、エスカレーターの主枠は図示が省略してあるが長手中間部が傾斜して配置された傾斜部が形成され、また傾斜部の両端部にそれぞれ水平部が形成される。そして、主枠の上側の端部に上乗降口１が、下側の端部に下乗降口２が設けられる。また、多数の踏段３が踏段鎖（図示しない）によって無端状に連結された搬送帯４が主枠に配置されて循環移動する。なお、それぞれの踏段３は、主枠上端寄りに配置されて踏段鎖に連結された軸（図示しない）に連結輪５が枢着され、また主枠下端寄りに従動輪６が枢着されて連結輪５位置よりも下方に配置される。
【００１２】
また、主枠の水平部に設けられて踏段３の連結輪５を案内する連結輪水平案内レール７及び連結輪水平案内レール７から下方に離れて平行に配置され踏段３の従動輪６を案内する従動輪水平案内レール８が配置される。そして、連結輪水平案内レール７、従動輪水平案内レール８によって踏段３を水平姿勢によって水平方向の移動を案内する。また、主枠の傾斜部に設けられて踏段３の連結輪５を案内する連結輪傾斜案内レール９及び連結輪傾斜案内レール９から下方に離れて平行に配置され踏段３の従動輪６を案内する従動輪傾斜案内レール１０が配置される。
【００１３】
なお、連結輪傾斜案内レール９、従動輪傾斜案内レール１０は相互に、連結輪水平案内レール７、従動輪水平案内レール８の上下方向の相互間隔よりも接近して配置される。これにより、連結輪傾斜案内レール９、従動輪傾斜案内レール１０は、踏段３の水平姿勢による傾斜方向の移動を案内する。また、連結輪水平案内レール７と連結輪傾斜案内レール９を接続する連結輪曲線案内レール１１及び従動輪水平案内レール８と従動輪傾斜案内レール１０を接続する従動輪曲線案内レール１２が設けられる。
【００１４】
また、連結輪曲線案内レール１１と従動輪曲線案内レール１２は上下方向において相互に、主枠の水平部側から主枠の傾斜部に向かって次第に接近する状態に配置されて、踏段３の移動方向を水平姿勢を保った状態で水平からと傾斜へ、また傾斜から水平へ次第に移動方向を変換して案内する。そして、主枠の上部寄りの連結輪曲線案内レール１１の一部を形成する上部連結輪可動案内レール１３及び従動輪曲線案内レール１２の一部を形成する上部従動輪可動案内レール１４が設けられる。
【００１５】
そして、上部連結輪可動案内レール１３及び上部従動輪可動案内レール１４は、それぞれ長手の主枠上端側が主枠の固定部に枢着される。また、主枠の下部寄りの連結輪曲線案内レール１１の一部を形成する下部連結輪可動案内レール１５及び従動輪曲線案内レール１２の一部を形成する下部従動輪可動案内レール１６が設けられる。なお、下部連結輪可動案内レール１５及び下部従動輪可動案内レール１６は、それぞれ長手の主枠上端側が主枠の固定部に枢着される。
【００１６】
なお、上部連結輪可動案内レール１３、上部従動輪可動案内レール１４、下部連結輪可動案内レール１５及び下部従動輪可動案内レール１６の四者における長手の主枠下端側にそれぞれ回動端が形成される。そして、上部連結輪可動案内レール１３、上部従動輪可動案内レール１４の回動端にそれぞれ後述する上昇機構１７が設けられ、また下部連結輪可動案内レール１５及び下部従動輪可動案内レール１６の回動端にそれぞれ後述する下降機構１８が設けられる。
【００１７】
すなわち、上昇機構１７、下降機構１８は、主枠の固定部に設けられたねじ式のシリンダーからなる昇降手段１９、昇降手段１９の昇降動作に伴って移動するカム２０、主枠の固定部に設けられ移動するカム２０に押圧されて昇降手段１９の上昇を検出する上昇検出器２１及び主枠の固定部に設けられ移動するカム２０に押圧されて昇降手段１９の下降を検出する下降検出器２２によって構成されている。
【００１８】
そして、主枠の固定部に設けられたスイッチからなり上記四者のそれぞれに対応して配置されて、下降した上記四者によってそれぞれ押圧されて動作する可動案内レール下降検出器２３が配置される。また、踏段３を停止してエスカレーターを階段化する運転のために操作される階段化運転スイッチ２４が主枠に立設された欄干（図示しない）に設けられる。さらに、階段化運転スイッチ２４によって、エスカレーターが運転されたときに踏段３が上記四者に対応した位置に移動したときに動作するスイッチからなる所定位置停止検出器２５が設けられる。
【００１９】
上記のように構成されたエスカレーター装置において、通常時には次に述べるようにしてエスカレーターが運転される。すなわち、上昇機構１７の昇降手段１９が下降位置に保持されてカム２０に下降検出器２２が押圧される。これにより、上部連結輪可動案内レール１３及び上部従動輪可動案内レール１４は下降姿勢に配置され、主枠の上部において連結輪曲線案内レール１１の一部、従動輪曲線案内レール１２の一部をそれぞれ形成し図１に示す状態となる。なお、この状態において下降した上部連結輪可動案内レール１３、上部従動輪可動案内レール１４によって可動案内レール下降検出器２３が押圧されて動作する。
【００２０】
また、下降機構１８の昇降手段１９は上昇位置に保持されてカム２０に上昇検出器２１が押圧される。これにより、下部連結輪可動案内レール１５及び下部従動輪可動案内レール１６は上昇姿勢に配置され、主枠の下部において連結輪曲線案内レール１１の一部、従動輪曲線案内レール１２の一部をそれぞれ形成し図３に示す状態となる。なお、図３に示す状態では下部連結輪可動案内レール１５、下部従動輪可動案内レール１６に対応した可動案内レール下降検出器２３は非動作となる。
【００２１】
そして、図１及び図３に示す状態でエスカレーターの駆動機（図示しない）が付勢されて、主枠に配置された多数の踏段３が踏段鎖によって無端状に連結されてなる搬送帯４が循環移動して踏段３上の乗客が搬送される。なお搬送帯４の循環移動によって、踏段３は主枠の水平部において水平姿勢によって水平移動し、また主枠の傾斜部において水平姿勢によって傾斜移動し、このときに互いに隣接した踏段３の相互間に図１などに示す一定段差Ｈが形成される。
【００２２】
また、踏段３は主枠の傾斜部と水平部の接続部において連結輪曲線案内レール１１及び従動輪曲線案内レール１２によって案内される。これにより、踏段３は水平移動から傾斜部の傾斜移動へ水平姿勢を保って次第に上昇又は下降して移動方向を次第に変換する。そして、移動方向の変換時に互いに隣接した踏段３の相互間に、図１に示す一定段差Ｈよりも少ない段差Ａ、段差Ｂが形成され、また図３に示す一定段差Ｈよりも少ない段差Ｃ、段差Ｄが形成される。
【００２３】
また、エスカレーター装置が省エネルギー対策等によって休止して、エスカレーター装置を歩行者が通常の階段として使用する場合には、次に述べるようにしてエスカレーターを通常の階段化する運転が行われる。すなわち、階段化運転スイッチ２４が操作されてエスカレーターの駆動機が付勢され、搬送帯４が微速移動する。そして、搬送帯４の適宜な踏段３が上記四者に対応したときに所定位置停止検出器２５が動作し、この動作を介してエスカレーターの駆動機が消勢されて搬送帯４が停止する。
【００２４】
次いで、上昇機構１７の昇降手段１９が上昇動作してカム２０に上昇検出器２１が押圧されて昇降手段１９が停止する。これにより、上部連結輪可動案内レール１３及び上部従動輪可動案内レール１４が上昇姿勢に配置されて図２に示す状態となり、上部連結輪可動案内レール１３及び上部従動輪可動案内レール１４の上に停止した踏段３が、上乗降口１に対応した踏段３位置に上昇して、主枠下部側に隣接した踏段３との間に一定段差Ｈが形成される。また、上部連結輪可動案内レール１３及び上部従動輪可動案内レール１４の上昇により可動案内レール下降検出器２３が非動作となる。
【００２５】
また、下降機構１８の昇降手段１９が下降動作してカム２０に下降検出器２２が押圧されて昇降手段１９が停止する。これにより、下部連結輪可動案内レール１５及び下部従動輪可動案内レール１６は下降姿勢に配置されて図４に示す状態となり、下部連結輪可動案内レール１５及び下部従動輪可動案内レール１６の上に停止した踏段３が、下乗降口２に対応した踏段３位置に下降して、主枠上部側に隣接した踏段３との間に一定段差Ｈが形成される。また、下部連結輪可動案内レール１５及び下部従動輪可動案内レール１６の下降により可動案内レール下降検出器２３が動作する。
【００２６】
以上説明したように、エスカレーター装置を停止して通常の階段として使用するときに、エスカレーターを通常の階段化する運転が行われる。これによって、主枠上側端部の上乗降口１に対応した踏段３と、主枠下側端部の下乗降口２に対応した踏段３との間に配置されて隣接した多数の踏段３の相互間にそれぞれ一定段差Ｈが形成される。
【００２７】
このため、停止したエスカレーターを通常の階段として歩行者が使用するときに、主枠傾斜部の上下端部近くにおいて踏段３の相互間に一定段差Ｈとは異なる段差が形成されることがない。したがって、停止したエスカレーターを歩行者が昇降する場合に通常の階段と同様に使用することができ、段差の不揃いによる違和感を解消することができる。
【図面の簡単な説明】
【００２８】
【図１】この発明の実施の形態１を示す図で、エスカレーターの上部機構を概念的に示す側面図。
【図２】図１における上部可動案内レールの動作状況を説明する図。
【図３】図１のエスカレーターにおける下部機構を概念的に示す側面図。
【図４】図３における下部可動案内レールの動作状況を説明する図。
【図５】図１に対応した上昇機構を拡大して示す図。
【図６】図５の上昇機構の動作状況を説明する図。
【符号の説明】
【００２９】
３  踏段、４  搬送帯、７  連結輪水平案内レール（水平案内レール）、８  従動輪水平案内レール（水平案内レール）、９  連結輪傾斜案内レール（傾斜案内レール）、１０  従動輪傾斜案内レール（傾斜案内レール）、１１  連結輪曲線案内レール（曲線案内レール）、１２  従動輪曲線案内レール（曲線案内レール）、１３  上部連結輪可動案内レール（上部可動案内レール）、１４  上部従動輪可動案内レール（上部可動案内レール）、１５  下部連結輪可動案内レール（下部可動案内レール）、１６  下部従動輪可動案内レール（下部可動案内レール）、１７  上昇機構、１８  下降機構。
【図１】
2005194058.tif 000003
【図２】
2005194058.tif 000004
【図３】
2005194058.tif 000005
【図４】
2005194058.tif 000006
【図５】
2005194058.tif 000007
【図６】
2005194058.tif 000008